(57)【要約】      （修正有）【課題】遺骨（遺灰）の乾燥を保持し、カビの発生を防止し、地震或いは外力の衝突による骨壷の転倒を防止することができる骨壷の構造を提供する。【解決手段】骨壷の構造は、外本体３、外本体３内部に設置する内缶４、外本体３下方外縁を包む底台５を備え、外本体３は上蓋３１、槽体３２を備え、上蓋３１と槽体３２とは開口状で相互に嵌合し、気密状態を構成するステップ部３１２、３２２をそれぞれ設置し、内缶４はその蓋体４１下方及び缶体４２の底縁に、しかも複数の貫通孔４３２２を備える収容設置箱４３をそれぞれ設置し、収容設置箱４３に乾燥剤を入れ、内缶４に遺骨（遺灰）を入れ、それを外本体３内に入れる。【選択図】図５
0003167866.tif 000002
【実用新案登録請求の範囲】
【請求項１】
外本体、内缶、底台を備え、
前記外本体は、槽体、及び前記槽体に蓋をする上蓋を備え、
前記内缶は、前記外本体内に設置し、蓋体と缶体を備え、前記蓋体下方及び前記缶体の底縁には、貫通孔を備える収容設置箱をそれぞれ設置し、ここに乾燥剤を入れ、
前記底台は、環状を呈し、その外縁には、装飾ラインを設置し、
前記内缶に遺骨(遺灰)を入れ、それを前記外本体内に入れ、骨壷を構成し、こうして、乾燥剤の揮発により、骨壷内部には水分が存在しなくなり、内缶に入れる遺骨(遺灰)の乾燥を保持することができ、
しかも、前記底台に包まれていることで、防振効果を達成することができ、これにより、骨壷が地震或いは外力による衝突で転倒することを防止し、骨壷をより安定させることができ、
かつ、もし前記外本体が破損しても、密封された内缶により、遺骨(遺灰)の完璧は保持されることを特徴とする骨壷の構造。
【請求項２】
前記外本体の上蓋の底縁、及び前記槽体の開口縁には、それぞれ対応する折り返しを設置し、
前記折り返しが形成する尖った溝に接着剤を注入し、密封して固定することを特徴とする請求項１に記載の骨壷の構造。
【請求項３】
前記内缶の蓋体と缶体には、それぞれ折り返しを設置し、
前記折り返しが形成する尖った溝に接着剤を注入し、密封して固定することを特徴とする請求項１に記載の骨壷の構造。
【請求項４】
前記内缶の蓋体下方に設置する収容設置箱は、蓋、箱体を備え、
前記蓋には、係合リブを設置し、前記箱体開口縁には、凸壁を設置し、
こうして、前記係合リブと前記凸壁の係合により、固定を形成し、しかも開けて乾燥剤を交換することができることを特徴とする請求項１に記載の骨壷の構造。
【請求項５】
前記底台に設置する装飾ラインは、弧状であることを特徴とする請求項１に記載の骨壷の構造。
【請求項６】
前記外蓋及び前記底台に設置する装飾ラインには、間隔を開けて複数の円球体を設置することができ、
これにより、前記複数の円球体は、骨壷の上、下において突出することを特徴とする請求項４に記載の骨壷の構造。
【請求項７】
前記本体の上蓋の内縁下方、及び前記槽体の開口には、対応するステップ部をそれぞれ設置し、
前記上蓋と前記槽体は、前記ステップ部の相互嵌合により、気密状態を構成することを特徴とする請求項４に記載の骨壷の構造。
【考案の詳細な説明】
【技術分野】
【０００１】
本考案は骨壷の構造に関し、特に遺骨(遺灰)を乾燥状態に保持し、カビの発生を防止し、しかも防振効果もあるため、地震或いは外力の衝突による転倒を防止することができる安定的な骨壷の構造に関する。
【背景技術】
【０００２】
一般的な骨壷の構造は、図１に示すように、筒状の本体１、及び本体１上方に設置する蓋体２を備え、本体１内に遺骨(遺灰)を入れた後、蓋体２により蓋をする。しかし、従来の骨壷の構造においては、内部の含水率が７％以上あり、しかも効果的な乾燥機能を備えていないため、湿気易く、カビが発生し易く、遺骨(遺灰)の保存効果は不良であった。また、本体１の底部には、一切の補助安定構造がないため、地震、或いは外力により衝撃を受けると、骨壷全体が傾き倒れる恐れがあり、深刻な場合には、骨壷が破損し、遺骨(遺灰)が外にこぼれる可能性さえある。本考案は、従来の骨壷の構造の上記した欠点に鑑みてなされたものである。      
【考案の概要】
【考案が解決しようとする課題】
【０００３】
本考案が解決しようとする課題は、遺骨(遺灰)を乾燥状態に保持し、カビの発生を防止することで保存の効果を高め、しかも防振効果もあるため、地震或いは外力の衝撃による転倒を防止することができ、こうして骨壷をより安定的させられる骨壷の構造を提供することである。
【課題を解決するための手段】
【０００４】
上記課題を解決するため、本考案は下記の骨壷の構造を提供する。
骨壷の構造は、外本体、該外本体内部に設置する内缶、該外本体下方外縁を包む底台を備え、
該外本体は槽体、上蓋を備え、該槽体と該上蓋は開口状で、相互に嵌合し、気密状態を構成するステップ部をそれぞれ設置し、
該内缶は、その蓋体下方及び該缶体の底縁に、適当な大きさで、しかも複数の貫通孔を備える収容設置箱をそれぞれ設置し、該収容設置箱に乾燥剤を入れ、
該内缶に遺骨(遺灰)を入れ、それを該外本体内に入れることで、乾燥剤の揮発により、遺骨(遺灰)の乾燥を保持し、カビの発生を防止し、
しかも、該底台は防振効果も持つため、地震或いは外力の衝突による骨壷の転倒を防止することができ、こうして骨壷はより安定的となり、
さらに、もし該外本体が破損しても、密封された内缶により、遺骨(遺灰)の完璧は保持され、
該内缶蓋体下方に設置する収容設置箱は、蓋と箱体を備え、該蓋には、係合リブを設置し、該箱体開口縁には、凸壁を設置し、該係合リブと該凸壁の係合により、固定を形成し、しかも開けて乾燥剤を交換することができ、
該外本体の上蓋底縁と槽体の開口縁、及び該内缶の蓋体と該間体の間には、対応する折り返しをそれぞれ設置し、該折り返しが形成する尖った溝に接着剤を注入し、密封して固定する。      
【考案の効果】
【０００５】
本考案の骨壷の構造は、遺骨(遺灰)を乾燥状態に保持し、カビの発生を防止することで保存の効果を高め、しかも防振効果もあるため、地震或いは外力の衝撃による転倒を防止することができ、こうして骨壷をより安定的させらことができる。
【図面の簡単な説明】
【０００６】
【図１】従来の骨壷の立体図である。
【図２】本考案の立体図である。
【図３】本考案の立体分解図である。
【図４】本考案収容設置箱の立体分解図である。
【図５】本考案の断面図である。
【図６】本考案の使用実施例図である。
【考案を実施するための形態】
【０００７】
以下に図面を参照しながら本考案を実施するための最良の形態について詳細に説明する。
【実施例】
【０００８】
本考案の立体図、立体分解図、及び収容設置箱の立体分解図である図２、３、４に示すように、本考案骨壷の構造は、外本体３、外本体３内に設置する内缶４、及び外本体３下方外縁を包む底台５を備える。外本体３は、筒状を呈し、上蓋３１と槽体３２を備える。上蓋３１の底部外縁には、折り返し３１１を設置し、内縁下方には、ステップ部３１２を設置する。槽体３２の開口外縁には、折り返し３２１を設置し、開口には、ステップ部３２２を設置する。これにより、上蓋３１と槽体３２は、ステップ部３１２、３２２の相互嵌合構造により、機密性が達成される。
【０００９】
内缶４は、蓋体４１と缶体を備える。蓋体４１下方及び缶体４２の底縁には、それぞれ収容設置箱４３、４４を設置し、ここに乾燥剤を入れる。蓋体４１に設置する収容設置箱４３は、蓋４３１、箱体４３２を備える。蓋４３１には、係合リブ４３１１を設置し、箱体４３１開口縁には、凸壁４３２１を設置する。箱体４３２には、複数の貫通孔４３２２を設置し、乾燥剤は、貫通孔４３２２を通して揮発する。こうして、係合リブ４３１１と凸壁４３２１の係合により、固定を形成し、しかも開けて乾燥剤を交換することができる。収容設置箱４４には、貫通孔４４１を設置し、乾燥剤は、貫通孔４４１を通して揮発する。底台５は、環状を呈し、その外縁には、弧状の装飾ライン５１を設置する。
【００１０】
上記した構成部材の組合せにより、内缶４に遺骨(遺灰)を入れ、蓋体４１で蓋をして固定後、それを外本体３の槽体３２内に入れ、これに上蓋３１で蓋をし、骨壷を構成する。上蓋３１の折り返し３１１及び槽体３２の折り返し３２１と、内缶４の蓋体４１と缶体４２との間には、尖った溝を形成し、接着剤を注入し、密封して固定することができる。こうして、乾燥剤の揮発により、骨壷内部には水分が存在しなくなり、内缶４に入れる遺骨(遺灰)の乾燥を保持することができ、しかも底台５に包まれていることで、防振効果を達成することができる。これにより、骨壷が地震或いは外力による衝突で転倒することを防止し、骨壷をより安定させることができる。しかも、もし外本体３が破損しても、密封された内缶４により、遺骨(遺灰)の完璧は保持される。
【００１１】
本考案の断面図である図５に示すように、本考案を組み立てた後、内缶４に設置する収容設置箱４３、４４には、乾燥剤６を入れ、収容設置箱４３、４４の表面には、通気紙４５を敷設する。これにより、乾燥剤６は、貫通孔４３２２、４４１、及び通気紙４５を通して揮発し、内缶４内に遺骨(遺灰)を入れた後、内缶４を、外本体３の槽体３２内に長期間保存することができる。本実施例においては、乾燥剤６の容量は、約５００ｇで、３０〜３５％の水分(休推量は１５０〜１７５ｇ)を吸収することができる。これは、非常に高い薬剤量で、これにより完全乾燥の効果を達成し、しかも乾燥剤は交換することができる。
【００１２】
本考案の実施例図である図６に示すように、本考案の使用時には、先ず、外本体３を底台５に置き、次に、内缶４に遺骨(遺灰)７を入れ、蓋体４１を被せて固定後、内缶４の蓋体４１と缶体４２との間に形成する尖った溝に、接着剤８を注入し、密閉状態を構成することができる。さらに、内缶４を外本体３内に入れ、上蓋３１で蓋をすると、上蓋３１の折り返し３１１と槽体３２の折り返し３２１が形成する尖った溝に、接着剤８を注入することができ、外本体３を密封して固定し、完全な骨壷を完成する。こうして、保存時に、乾燥剤６は、収容設置箱４３、４４の貫通孔４３２２、４４１、及び通気紙４５において、揮発し、骨壷内部には水分が存在しなくなり、内缶４に置く遺骨(遺灰)の乾燥を保持することができる。しかも、底台５により外本体３底縁を包むことにより、防振の効果を達成することができる。こうして、骨壷が、地震或いは外力による衝突で倒れることを防止し、骨壷はより安定する。しかも、外本体３が、衝突され破損しても、密封された内缶４により遺骨(遺灰)が外に漏れることを防止し、こうして遺骨(遺灰)の完璧を保持することができる。
【００１３】
上記したように、本考案の外本体３、外本体３を入れる内缶４、外本体３を包む底台５により構成する骨壷は、遺骨(遺灰)の乾燥を保持することができ、カビの発生を防止し、保存効果を高め、しかも防振作用を備えるため、地震或いは外力の衝突により倒れることを防止し、こうして骨壷をより安定させることができる。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１６】
１  本体
２  蓋体
３  外本体
３１  上蓋
３１１  折り返し
３１２  ステップ部
３２  槽体
３２１  折り返し
３２２  ステップ部
４  内缶
４１  蓋体
４２  缶体
４３  収容設置箱
４３１  蓋
４３１１  係合リブ
４３２  箱体
４３２１  凸壁
４３２２  貫通孔
４４  収容設置箱
４４１  貫通孔
４５  通気紙
５  底台
５１  装飾ライン
６  乾燥剤
７  遺骨(遺灰)
８  接着剤
【図１】
0003167866.tif 000003
【図２】
0003167866.tif 000004
【図３】
0003167866.tif 000005
【図４】
0003167866.tif 000006
【図５】
0003167866.tif 000007
【図６】
0003167866.tif 000008